(57)【要約】【課題】    単純な合板の積層構造で、打球の飛距離を伸ばすことができる合板野球バットを提供することである。【解決手段】    内層側の平板１ａの両側に外層側の平板１ｂを積層接着した３層構造の合板からバットを削成し、各平板１ａ、１ｂの柾目面をバットが振られる方向の側面に向け、その各正柾３ａを打球面側に配することにより、バットが振られる方向の剛性を高めるとともに、打球面の反発力を向上させ、単純な合板の積層構造で打球の飛距離を伸ばせるようにした。【選択図】  図２
2004209146.tif 000002
【特許請求の範囲】
【請求項１】
複数枚の板材を積層接着した合板から削成される合板野球バットにおいて、前記複数枚の板材を平板として、前記合板の積層中心に関して対称に３枚以上で５枚以下に積層し、少なくとも最内層の前記平板の柾目面を、バットが振られる方向の側面に向け、その正柾を打球面側に配したことを特徴とする合板野球バット。
【請求項２】
前記バットが振られる方向と直角方向の側面に付与されるマークを、この直角方向の側面に向かって、右打者用のバットの場合は、前記打球面側の正柾を左側の側面に見るようにマークを付与し、左打者用のバットの場合は、前記打球面側の正柾を右側の側面に見るようにマークを付与した請求項１に記載の合板野球バット。
【発明の詳細な説明】
【０００１】
【発明の属する技術分野】
この発明は、合板野球バットに関するものである。
【０００２】
【従来の技術】
複数枚の板材を積層接着した合板から削成される合板野球バットには、打球の飛距離を伸ばすためや、バットの割損等の損傷を防止するために、異形断面の板材を積層したもの（例えば、特許文献１参照）、板材を直角方向にも積層したもの（例えば、特許文献２参照）、板材を長手方向で楔状に形成したもの（例えば、特許文献３参照）等、様々な積層構造のものが提案されている。
【０００３】
このうち、割損等の損傷に対しては、接着剤の改善により、１本の木材から削成される木製バットと同等の強度のものが得られるようになっている。
【０００４】
【特許文献１】
実公昭３５−３１３１２号公報（第１頁、第２−４図）
【特許文献２】
実公昭３８−３５５２号公報（第１頁、第２−５図）
【特許文献３】
実公昭４６−１５７７３号公報（第１頁、第２−３図）
【０００５】
【発明が解決しようとする課題】
上述した従来の合板野球バットは、合板の積層構造が複雑であるので、製造に手間がかかりコストが高くなる問題がある。
【０００６】
そこで、この発明の課題は、単純な合板の積層構造で、打球の飛距離を伸ばすことができる合板野球バットを提供することである。
【０００７】
【課題を解決するための手段】
上記の課題を解決するために、この発明は、複数枚の板材を積層接着した合板から削成される合板野球バットにおいて、前記複数枚の板材を平板として、前記合板の積層中心に関して対称に３枚以上で５枚以下に積層し、少なくとも最内層の前記平板の柾目面を、バットが振られる方向の側面に向け、その正柾を打球面側に配した構成を採用した。
【０００８】
本発明者は、平板を合板の積層中心に関して対称に積層した単純な積層構造の合板野球バットについて、各平板の木目の方向を変えたものを試作し、打球の飛距離を比較するテストを行った。この結果、最内層の平板の柾目面をバットが振られる方向の側面に向け、その正柾を打球面側に配したものが、他の木目の方向のものに較べて、平均飛距離が１０％程度長くなることを確認した。また、外層側の平板についても、柾目面をバットが振られる方向の側面に向け、その正柾を打球面側に配すると、さらに飛距離が増加する傾向が認められた。
【０００９】
これは、打球面の中心部を形成する少なくとも最内層の平板の柾目面をバットが振られる方向に向けることにより、打球に対するバットの剛性が増し、さらに、目の細かい正柾を打球面側に配することにより、打球に対する反発力が向上したためと思われる。
【００１０】
前記平板の積層枚数を３枚以上で５枚以下としたのは、積層枚数が２枚以下では、平板を内層と外層とに区分できず、６枚以上では、接着面が多くなって合板の形成に手間がかかるからである。積層枚数を４枚とする場合は、内層側の２枚が、その正柾を打球面側に向けることを必須とする最内層の平板となる。なお、平板を積層中心に関して対称に積層したのは、バットのバランスを確保するためである。
【００１１】
前記平板の素材としては、ホワイトアッシュ、楢、樫、樺、楓、桜等の木を用いることができ、積層される各平板は、異なる木の素材を組み合わせてもよい。また、各平板の厚みは積層中心に関して対称であればよく、一般的には異なる厚みの組み合わせとしてよい。
【００１２】
前記バットが振られる方向と直角方向の側面に付与されるマークを、この直角方向の側面に向かって、右打者用のバットの場合は、打球面側の正柾を左側の側面に見るようにマークを付与し、左打者用のバットの場合は、打球面側の正柾を右側の側面に見るようにマークを付与することにより、打者はマークを自分の方に向けてバットを持つので、左右の打者が間違いなく正柾を打球面側に向けてバットを振ることができる。
【００１３】
【発明の実施の形態】
以下、図１乃至図３に基づき、この発明の実施形態を説明する。この合板野球バットは、図１に示すように、内層側の平板１ａの両側に外層側の平板１ｂを積層接着した合板から削成したものである。各平板１ａ、１ｂは、いずれもホワイトアッシュの木を素材とし、内層側の平板１ａの厚みは１２ｍｍとされ、ヘッド部の直径は約６５ｍｍ、グリップ部の直径は約２５ｍｍに形成されている。したがって、バットは全長に渡って単純な３層構造となっている。また、積層面と平行なヘッド部の側面には、マーク２が付与されている。
【００１４】
このバットは右打者用のものであり、図２に示すように、積層された各平板１ａ、１ｂの柾目面が、図中に矢印で示すバットが振られる方向の側面に向けられ、マーク２が付与された側面を打者側に向けたときに、その各正柾３ａが左側の打球面側に、追い柾３ｂが右側の打球面の裏面側に配されている。
【００１５】
図３は、上記実施形態の変形例を示す。このバットは左打者用のものであり、合板の積層構造は実施形態のものと同じで、各平板１ａ、１ｂの柾目面もバットが振られる方向の側面に向けられているが、マーク２を打者側に向けたときに、図２に示したものとは逆に、その各正柾３ａが右側の打球面側に、追い柾３ｂが左側の打球面の裏面側に配されている。
【００１６】
上述した実施形態では、合板の積層構造を３層とし、積層された全ての平板の柾目面をバットが振られる方向の側面に向け、その各正柾を打球面側に配したが、合板の積層構造は４層または５層とすることもでき、最内層の平板のみの柾目面をバットが振られる方向の側面に向け、その正柾を打球面側に配してもよい。なお、合板の積層構造を４層とする場合は、少なくとも内層側の２枚の平板の柾目面をバットが振られる方向の側面に向け、その正柾を打球面側に配する必要がある。
【００１７】
【発明の効果】
以上のように、この合板野球バットは、平板を３層乃至５層に積層した合板から削成し、少なくとも最内層の平板の柾目面をバットが振られる方向の側面に向け、その正柾を打球面側に配することにより、バットが振られる方向の剛性を高めるとともに、打球面の反発力を向上させたので、単純な合板の積層構造で打球の飛距離を伸ばすことができる。
【００１８】
また、前記バットが振られる方向と直角方向の側面に付与されるマークを、この直角方向の側面に向かって、右打者用のバットの場合は、打球面側の正柾を左側の側面に見るようにマークを付与し、左打者用のバットの場合は、打球面側の正柾を右側の側面に見るようにマークを付与することにより、打者はマークを自分の方に向けてバットを持つので、左右の打者が間違いなく正柾を打球面側に向けてバットを振ることができる。
【図面の簡単な説明】
【図１】実施形態の合板野球バットを示す外観斜視図
【図２】図１のバットのヘッド部の横断面図
【図３】図１のバットの変形例を示すヘッド部の横断面図
【符号の説明】
１ａ、１ｂ  平板
２  マーク
３ａ  正柾
３ｂ  追い柾
【図１】
2004209146.tif 000003
【図２】
2004209146.tif 000004
【図３】
2004209146.tif 000005